(57)【要約】【課題】ドアの美麗さを損なうことがなく、かつドアを全開位置に保持することができる戸当りを提供することである。【解決手段】（ａ）ドアの下端からドアの内部に埋め込まれて、固定された非磁性体からなるシリンダ、（ｂ）前記シリンダ内に摺動自在かつシリンダ内から床面側に露出し得るように設けられた磁石からなるピストン、（ｃ）床面に固定され、前記ピストンを係止するための突起が設けられた磁性体からなる台座、および（ｄ）前記ピストンをシリンダ内で床から離れる方向に付勢するための付勢手段からなることを特徴としている。【選択図】図１
0003118176.tif 000002
【実用新案登録請求の範囲】
【請求項１】
（ａ）ドアの下端からドアの内部に埋め込まれて、固定された非磁性体からなるシリンダ、
（ｂ）前記シリンダ内に摺動自在かつシリンダ内から床面側に露出し得るように設けられた磁石からなるピストン、
（ｃ）床面に固定され、前記ピストンを係止するための突起が設けられた磁性体からなる台座、および
（ｄ）前記ピストンをシリンダ内で床から離れる方向に付勢するための付勢手段からなる戸当り。
【請求項２】
前記シリンダが鍔を介してドアの下端に固定されてなる請求項１記載の戸当り。
【請求項３】
前記鍔とドアの下端との間に少なくとも１つのパッキンが介装されてなる請求項２記載の戸当り。
【請求項４】
前記ピストンが、中空体と該中空体内に固定された磁石とからなる請求項１、２または３記載の戸当り。
【請求項５】
前記付勢手段が、前記シリンダとピストンとの間に介装された圧縮コイルバネである請求項１、２、３または４記載の戸当り。
【請求項６】
前記付勢手段が、前記シリンダ内に固定された磁性体である請求項１、２、３または４記載の戸当り。
【考案の詳細な説明】
【技術分野】
【０００１】
本考案は戸当りに関する。さらに詳しくは、ドアの下端に埋め込まれた非磁性体からなるシリンダ内に摺動自在に設けられ、床面から離れる方向に付勢された磁石からなるピストンと、床面に設けられた磁性体からなる台座とから構成され、ドア下端部が全開位置（台座が設けられた位置）に達するとピストンが台座に吸着されることにより、ドアを全開位置に係止することができる戸当りに関する。
【背景技術】
【０００２】
従来より、図８〜９に示すように、ドア５０の開閉によりドア５０またはノブ５１が壁またはドア５０周辺の家具やキャビネット５２などに衝突し、これらに損傷が生じるのを防ぐために戸当り５３がドア５０の付近の床５４に設けられている。
【０００３】
かかる戸当り５３としては、床５４に立設される雄ねじ（図示せず）に螺着される基部５５と、該基部５５の上部に固着される緩衝体５６とからなるものがある。
【０００４】
また、ドア５０を開放状態にしておくために、前記基部５５内に差し込まれているＵ字状の止め金具５７を引き抜き、ドア５０の側面に設けられた鉤付き座金５８の鉤部５９に係止するようにしている。
【０００５】
前記従来の戸当りの場合、ドア５０の側面に鉤付き座金５８の鉤部５９が設けられるため、ドアの美麗さが損なわれるという問題がある。また、戸当り５３が、常時床５４に立設されているため、床５４の上に異物が突出しているように見え、美観上好ましくない。
【０００６】
また、床から出没自在の戸当りも種々検討されており、従来より知られている出没自在の戸当りとして、磁石を用いた戸当りなどがある。特許文献１および特許文献２に記載された磁石を用いた戸当りは、たとえば、床面に揺動自在に設置された磁性体プレートを、ドア側の磁石（磁石自体は固定されており、上下に移動するものではない）に吸着させることによりドアを全開位置に固定している。
【０００７】
しかし、ドアの表面積は比較的広いので、ドアに風が当って強い力が加われば、磁石とプレートとのあいだの吸着力のみでは、ドアを全開位置に保持することができなくなり、ドアがいきおいよく閉まってしまうなどの問題がある。
【０００８】
また、ドアを開放位置に仮止めできるように、磁石下面にストッパを突設し、磁性体プレートに該ストッパを係合するための貫通孔を形成することが考えられるが、この場合、貫通孔内部、または貫通孔を通って磁性体プレート下側に砂やほこりが堆積し、それにより、プレートの揺動不良やプレートの汚れなどの問題が生じる。
【０００９】
【特許文献１】特許第２９９０６０１号明細書
【特許文献２】特開平１０−１１５１３９号公報
【考案の開示】
【考案が解決しようとする課題】
【００１０】
本考案は、かかる問題を解消するためになされたものであり、ドアの美麗さを損なうことがなく、かつドアを全開位置に保持することができる戸当りを提供することを目的とする。
【課題を解決するための手段】
【００１１】
本考案の戸当りは、（ａ）ドアの下端からドアの内部に埋め込まれて、固定された非磁性体からなるシリンダ、
（ｂ）前記シリンダ内に摺動自在かつシリンダ内から床面側に露出し得るように設けられた磁石からなるピストン、
（ｃ）床面に固定され、前記ピストンを係止するための突起が設けられた磁性体からなる台座、および
（ｄ）前記ピストンをシリンダ内で床から離れる方向に付勢するための付勢手段からなることを特徴としている。
【００１２】
また、前記シリンダが鍔を介してドアの下端に固定されてなることが好ましい。
【００１３】
また、前記鍔とドアの下端との間に少なくとも１つのパッキンが介装されると、ピストンの最下端部と台座との間の距離を短くすることができ、ピストンが台座と衝突の際の衝撃音を低減できるので好ましい。
【００１４】
また、前記ピストンが、中空体と該中空体内に固定された磁石とから構成することができる。
【００１５】
また、前記付勢手段が、前記シリンダとピストンとの間に介装された圧縮コイルバネであることが好ましい。
【００１６】
また、前記付勢手段が、前記シリンダ内に固定された磁性体であることが好ましい。
【考案の効果】
【００１７】
本考案によれば、ドアの美麗さを損なうことがなく、かつドアを全開位置に保持することができる戸当りを提供することができる。
【考案を実施するための最良の形態】
【００１８】
図１は本考案の一実施の形態にかかわる戸当りを構成するシリンダとピストンとを示す斜視図、図２は図１のシリンダが埋め込まれた状態を示す説明図、図３および図４は図１の戸当りの動作説明図、図５は本考案の他の実施の形態にかかわる戸当りの内部構造を示す一部破断斜視図、図６および図７は図５の戸当りの動作説明図である。
【００１９】
実施の形態１
図１および２を参照すると、本実施の形態の戸当りを構成するシリンダ２がドアＤの下端部ＤＬからドアＤの内部に埋め込まれている。
【００２０】
シリンダ１の下端には鍔１ｃが設けられており、ドアＤの下端部ＤＬと鍔１ｃとの間にパッキン４を介装して、鍔１ｃに穿設された孔１ｈからネジ５により鍔１ｃ示される戸当りは、大きく分けて床面に設置された本体部分１と、ドアＤに固着されるピストン２とから構成されている。図中鍔１ｃはシリンダ１と一体的に形成されたものが示されているが、かかる構成に限られることはなく、別体であってもよい。この場合、シリンダ１の素材が金属の場合は溶接または羅着により固着すればよく、シリンダ１の素材が合成樹脂の場合は熱融着または接着剤により固着すればよい。
【００２１】
図１に示されるように、ピストン２は、中空体Ｈと中空体Ｈ内の下部に固定された磁石２ａとから構成されている。さらに、中空体Ｈの磁石２ａを除いた空間内には、紙、樹脂、粘土などの充填材２ｄを埋め込んでもよい。また、中空体Ｈの材料としては、特定の材料に限られることはなく、金属材料や合成樹脂材料などが採用できる。中空体Ｈが磁性体からなる場合は、磁石２ａから発生する磁力線が中空体Ｈの外に出ることはない（この場合、図２に示すように、中空体Ｈの下部に開口２ｅを設けて磁力線が中空体Ｈの外に出るようし、かつ磁石２ａと中空体Ｈとの間に隙間を設けて、磁力線が短絡しないようにする必要がある）ので、シリンダ１の材料は特定の材料に限られることはないが、もし、中空体Ｈの材料が非磁性体からなる場合は、磁石２ａから発生する磁力線は中空体Ｈを通して外部に出るので、シリンダの材料としては、鉄などの磁性体を選択せず、合成樹脂などの非磁性体から選択することが好ましい。シリンダ１の上部開口１ａには蓋２ｄを設けることもできる。
【００２２】
図１には、ピストン２は略円柱の形状が示されているが、かかる形状に限られることはない。たとえば、角柱などの他の形状も採用することができる。
【００２３】
シリンダ１の下部には開口部１ｄが設けられており、ピストン２はこの開口部１ｄから出没することができる。
【００２４】
シリンダ１内には段部１ｅが設けられており、この段部１ｅによって開口部１ｄが構成される。そして、ピストン２には大径部２ｃが設けられており、大径部２ｃの外径がシリンダ１の開口部１ｄの内径より大きくされているので、ピストン２はシリンダ１から抜け落ちることはない。また、シリンダ１の上部には、さらなる段部１ｂが設けられており、この段部１ｂに蓋１を支持することができる。
【００２５】
また、図１に示されるように、ピストン２の中空体Ｈには、小径部２ｃが設けられており、ピストン２の中空体Ｈの小径部の２ｃの外径と、シリンダ１の開口部１ｄの内径とはほぼ等しいか、ピストン２の中空体Ｈの小径部の２ｃの外径は、シリンダ１の開口部１ｄの内径より僅かに小さくされている。
【００２６】
また、ピストン２の中空体Ｈの小径部２ｂとシリンダ１の内面１ｇとの間に圧縮コイルバネ３が設けられている（すなわち、シリンダ１の実質的な内面１ｆとピストン２の中空体Ｈの小径部２ｂの外面との間の隙間に圧縮コイルバネ３が設けられる）。この圧縮コイルバネ３が、ピストン２をシリンダ１内で床Ｆ（図３、４参照）から離れる方向に付勢するための付勢手段として機能する。
【００２７】
なお、図には付勢手段として圧縮コイルバネ３が示されているが、付勢手段としては、圧縮コイルバネに限られることはなく、圧縮コイルバネ以外に、たとえば板バネを採用することも可能である。
【００２８】
図１、２を参照すると、シリンダ１の鍔１ｃとドアＤの下端ＤＬとの間に１枚のパッキン４が介装されている。このように、鍔１ｃとドアＤの下端ＤＬとの間にパッキン４を介装すると、ピストン２の最下端部ＬＭと台座５との間の距離を短くすることができる。このようにすることにより、ピストン２と台座５とが衝突する際に発生する衝撃音を低減できるという利点がある。また、使用するパッキン４の枚数は１枚に限られることはなく、２枚、３枚など複数枚を重ねて使用することもできる。パッキン４の素材としては特定の材料に限られることはなく、金属、軟質合成樹脂、ゴム、紙、またはこれらを２種以上組み合わせたものであってもよい。
【００２９】
図３、４に示されるように、床面Ｆには、ネジなどの固着手段によって台座５が固着されている。台座５は、テーパ状の斜面が形成された突起５ａと、予め設定された全開位置以上にドアＤが回転しないように係止するため係止突起５ｂとから構成されている。突起５ａと突起５ｂとが向かい合う突起５ｂ側の面は床面Ｆに対してほぼ垂直であり、かつ突起５ｂの高さも約５〜７ｍｍである。しかし、突起５ａと突起５ｂとが向かい合う突起５ａ側の面はラウンド(round)に加工されており、かつ高さもせいぜい１〜２ｍｍと低い。したがって、ドアＤの下端から突出したピストン２の中空体Ｈの小径部２ｂの先端部ＬＭは突起５ｂを超えることはできない（すなわち、予め設定された全開位置以上に回転することはできない）が、ドアＤの下端から突出したピストン２の中空体Ｈの小径部２ｂの先端部ＬＭは突起５ａを乗り越えることはできる。
【００３０】
なお、台座５の素材としては磁性体（とりわけ、鉄、コバルト、ニッケルなどの強磁性体）が好ましい。
【００３１】
しかし、台座はかかる構成に限られることはなく、ナイロン、ポリアセタールなどのエンジニアリング樹脂や亜鉛合金などからなる台座に、鉄などの磁性体からなるプレートが揺動自在に取り付けられた構成を採用することも可能である。
【００３２】
つぎに、図３および４にもとづいて、本考案の戸当りの動作を説明する。
【００３３】
まず、ドアＤを回転して、ドアＤの下端に設けられたピストン２が台座５の上にくると、台座５の突起５ａにピストン２内に固定された磁石２ａが吸着され、図３に示されるピストン２が、圧縮コイルバネ３による上方への不勢力に抗してピストン２が下降して、突起５ａに当接する。さらにドアＤを開放すると、通常ドアＤのヒンジが設けられている位置とピストン２との間の水平距離が１ｍ以上あることから、比較的大きな回転トルクを発生することができるので、比較的小さな操作力でピストン２の最下端部ＬＭが突起５ａの外表面と接触しながら突起５ａを乗り越え、若干ピストン２が上方に押し込まれながら突起５ｂに接近して、最終的にピストン２が突起５ｂに当接すると、ピストン２は突起５ａと突起５ｂとの間に挟まれた位置に到達する。これにより、ドアＤの開放がロック（維持）される。
【００３４】
ドアＤを閉める場合は、ドアＤを閉じる方向に回転すると、ピストン２が突起５ａの外表面と接触し、上昇しながら突起５ａを乗り越えることができ、ドアＤの開放がロックされた状態が解除されるのである。
【００３５】
実施の形態２
図５を参照すると、本実施の形態の戸当りは、シリンダ１と、シリンダ１内に摺動自在に設けられたピストン２とから構成されている。実施の形態１と基本的には同じ構成であるので、相違点のみを以下に述べる。なお、図中、図１〜４に用いられた参照符号と同一の参照符号は同一の部材を示す。
【００３６】
本実施の形態において、ピストン２は上部が開放された有底筒状体であり、底部に磁石２ａが固定されている。ピストン２の材料としては特定の材料に限られることはなく、金属材料や合成樹脂材料などが採用できる。また、ピストン２の側面の対向する位置に長孔ＳＬが穿設されている。そして、シリンダ１には、ピストン２内部を貫通するピンＰ、Ｑが平行して設けられている。当該ピンＱの段部Ｑａに、板状を呈した磁性体６が嵌入されている。さらに、ピンＰは板状を呈した磁性体６に穿設された丸孔６ｃを挿通している。磁性体６は、ピンＱの段部Ｑａに支持され、ネジＴｈによりシリンダ２に螺着されシリンダ１の上部開口を閉鎖している蓋１ｇによって上方の移動が係止されている。磁性体６の下部は細い棒状部６ａとなっている。磁性体６の材料としては、磁力線中におかれたときに磁性をもつ材料であればいかなる材料でもよいが、鉄、コバルト、ニッケルなどの強磁性体が好ましい。また、磁性体６の代わりに磁石をもちいることも可能である。
【００３７】
本実施の形態においては、このような棒状部６ａを有する板状の磁性体６が、ピストン２を床面から離れるように付勢するための付勢手段として機能する。磁石２ａから発生する磁力線に対して垂直方向に磁気吸着力が発生するため、この棒状部６ａの端面６ｂの面積が大きいと、ドアＤの下端に設けられたピストン２が台座５の上にあるとき、磁石２ａが端面６ｂに吸着されたままの状態になり、ピストン２が下降しなくなるため、端面６ｂの面積はできるだけ小さいことが好ましい。
【００３８】
また、ピンＰ、Ｑはピストン２の長孔ＳＬを挿通している。長孔ＳＬがピストン２の上下動の移動距離を規制しており、図５はピストン２が最下部（下死点）に達している状態を示している。
【００３９】
つぎに、図６および７にもとづいて、本実施の形態の戸当りの動作を説明する。
【００４０】
まず、ドアＤを回転して、ドアＤの下端に設けられたピストン２が台座５の上にくると、台座５にピストン２の磁石２ａが吸着される。この、突起５ａに対する磁石２ａの磁気吸着力は、磁石２ａの磁性体６の棒状部６ａの端面６ｂに対する吸着力より大きい。このため、磁石２ａが台座５に吸引されてピストン２が下降して台座５に当接する。
【００４１】
ドアＤを閉める場合は、ドアＤを閉じる方向に回転すると、ピストン２と台座５の外表面との接触が解除すると、磁石２ａが板状の磁性体６の棒状部６ａの端面６ｂに吸着されるため、ピストン２は上昇し、ドアＤの開放がロックされた状態が解除されるのである。なお、台座５として、実施の形態１に用いられた図３、４に示される台座５を本実施の形態においても採用できることはいうまでもない。
【図面の簡単な説明】
【００４２】
【図１】本考案にかかわる戸当りを構成するシリンダとピストンとを示す斜視図である。
【図２】図１のシリンダが埋め込まれた状態を示す説明図である。
【図３】本考案の戸当りの動作説明図である。
【図４】本考案の戸当りの動作説明図である。
【図５】本考案の他の実施の形態にかかわる戸当りの内部構造を示す一部破断斜視図である。
【図６】図５の戸当りの動作説明図である。
【図７】図５の戸当りの動作説明図である。
【図８】従来のドアの固定状態を示す説明図である。
【図９】従来の戸当りを示す説明図である。
【符号の説明】
【００４３】
１      シリンダ
１ａ    上部開口
１ｂ    段部
１ｃ    鍔
１ｄ    開口
１ｅ    段部
１ｆ    内面
１ｇ    蓋
１ｈ    孔
２      ピストン
２ａ    磁石
２ｂ    小径部
２ｃ    大径部
２ｄ    充填材
２ｅ    開口
３      圧縮コイルバネ
４      パッキン
５      台座
５ａ      突起
５ｂ      突起
６      磁性体
６ａ      棒状部
６ｂ      端面
Ｄ      ドア
Ｆ      床面
ＳＬ      長孔
Ｔｈ      ネジ
【図１】
0003118176.tif 000003
【図２】
0003118176.tif 000004
【図３】
0003118176.tif 000005
【図４】
0003118176.tif 000006
【図５】
0003118176.tif 000007
【図６】
0003118176.tif 000008
【図７】
0003118176.tif 000009
【図８】
0003118176.tif 000010
【図９】
0003118176.tif 000011